(57)【要約】【課題】防水を図りつつ落下衝撃等が加わった場合でも、充電端子等の端子部と基板端子との接触面における破損を確実に防止することができる防水端子構造を提供する。【解決手段】折り畳み式携帯電話機１００において、操作部側筐体２に充電端子部４を防水を図って固定し、充電端子部４は、操作部側筐体２内の基板端子２３に弾性力を付与して接触する弾性部５２を有し、基板端子２３と充電端子部４とが電気的に接続されている。【選択図】図４
2008288151.tif 000002
【特許請求の範囲】
【請求項１】
筐体に端子部を防水を図って固定し、
前記端子部は、前記筐体内の基板端子に弾性力を付与して接触する弾性部を有し、前記基板端子と前記端子部とが電気的に接続されていることを特徴とする防水端子構造。
【請求項２】
前記端子部は、前記筐体の外部に露出する端子面と、
前記端子面の各縁部を覆うホルダと、を有していることを特徴とする請求項１に記載の防水端子構造。  
【請求項３】
前記弾性部の両脇にリブが設けられていることを特徴とする請求項１に記載の防水端子構造。
【請求項４】
前記端子部は、充電用に使用されることを特徴とする請求項１〜３のいずれか一項に記載の防水端子構造。
【発明の詳細な説明】
【技術分野】
【０００１】
本発明は、例えば電子機器等の防水端子構造に関する。
【背景技術】
【０００２】
携帯電話機の充電端子として、携帯電話機の側面に配置したものが知られている（例えば、特許文献１参照）。通常、このような充電端子は樹脂部分に金属の端子面を設けて、この端子面から引き出したリードを機器本体内に挿入させて、機器本体内の基板端子に半田付けさせている。
【特許文献１】特開平１１−１１１３４４号公報
【発明の開示】
【発明が解決しようとする課題】
【０００３】
ところで、充電端子は一般的に機器のケースに防水テープなどによって防水を図りながら固定されている。しかしながら、端子面から引き出したリードを機器本体内の基板端子に半田付けさせる構造であるため、携帯電話機が落下した場合など、衝撃が加わり基板端子とケースとが相対的にずれた場合、充電端子と基板端子との半田付けされた部分に集中的に衝撃が加わることで、充電端子、防水テープ部分や基板端子等が破損するおそれがあった。
本発明は上記事情に鑑みてなされたもので、防水を図りつつ落下衝撃等が加わった場合でも、充電端子等の端子部と基板端子との接触面における破損を確実に防止することができる防水端子構造を提供することを目的としている。
【課題を解決するための手段】
【０００４】
上記課題を解決するため、請求項１の発明は、筐体に端子部を防水を図って固定し、
前記端子部は、前記筐体内の基板端子に弾性力を付与して接触する弾性部を有し、前記基板端子と前記端子部とが電気的に接続されていることを特徴とする。
【０００５】
請求項２の発明は、請求項１に記載の防水端子構造において、
前記端子部は、前記筐体の外部に露出する端子面と、
前記端子面の各縁部を覆うホルダと、を有していることを特徴とする。
【０００６】
請求項３の発明は、請求項１に記載の防水端子構造において、
前記弾性部の両脇にリブが設けられていることを特徴とする。
【０００７】
請求項４の発明は、請求項１〜３のいずれか一項に記載の防水端子構造において、
前記端子部は、充電用に使用されることを特徴とする。
【発明の効果】
【０００８】
本発明によれば、防水を図りつつ落下衝撃等が加わった場合でも、端子部と基板端子との接触面における破損を確実に防止することができる。
【発明を実施するための最良の形態】
【０００９】
以下、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
図１は、折り畳み式携帯電話機１００を充電台２００にセットする前の状態を示した斜視図、図２は、折り畳み式携帯電話機１００を左側方から見た際の斜視図、図３は、操作部側筐体２において充電端子部４を露出させた状態を示した斜視図、図４は、図３の切断線IV−IVに沿って切断した際の斜視図である。
折り畳み式携帯電話機１００は、液晶ディスプレイ等の表示部（図示しない）が設けられた表示部側筐体１と、操作キー群等の操作部２１が設けられた操作部側筐体２とがヒンジ部３によって開閉可能に連結されている。
【００１０】
表示部側筐体１の内部には、液晶ディスプレイや、表示部側基板等を支持する中ケース、レシーバ（通話用スピーカ）、着信ランプ部等が収容されている。
【００１１】
操作部側筐体２の内部には、操作キー群や折り畳み式携帯電話機１００全体を制御するメインプロセッサ等が設けられた回路基板２２、カメラユニット、マイク、メインアンテナ等が収容されている。回路基板２２には、後述する充電端子部４の充電端子５が接触する基板端子２３が、各充電端子５に対応する位置に複数形成されている。
また、図４に示すように、操作部側筐体２の背面には電池装着部２４が凹設され、電池装着部２４に電池パック２５が着脱自在に装着されている。さらに操作部側筐体２の背面にはカードコネクタ（図示しない）が設けられ、メモリカード（図示しない）等が挿入自在とされている。
操作部側筐体２の左側面には充電端子部４を固定する取付固定部２６が形成されている。取付固定部２６は、操作部側筐体２の左側面に形成された矩形状の凹部２６１を有し、凹部２６１の略中央には矩形状の開口部２６２が形成されている。凹部２６１は、後述するホルダ本体６１より若干大きく形成されており、ホルダ本体６１が嵌め込まれ、開口部２６２は、ホルダ本体６１よりも小さく、後述する複数の弾性部５２及び複数のリブ６２が挿入されるようになっている。
【００１２】
図５は、充電端子部４の斜視図、図６は、充電端子部４のホルダ６の斜視図、図７は、図４の切断線VII−VIIに沿って切断した際の充電端子部４の斜視図である。
図４〜図７に示すように、充電端子部４は、複数の充電端子５と、これら充電端子５を保持するホルダ６とを備え、充電端子５とホルダ６とは、後述するように板金と樹脂によるインサート成形によって形成されている。
充電端子５は、操作部側筐体２の左側面に露出する端子面５１と、端子面５１の裏面から操作部側筐体２の内部へと延在し基板端子２３に弾性力を付与して接触する弾性部５２と、を備えている。端子面５１は、薄い矩形板状をなし、その端子面５１の上端部を略平行となるように一回折り曲げた後、操作部側筐体２の内部に向けて上側へと引き出されることによって弾性部５２が形成されている。なお、弾性部５２の先端部５２１は、やや下方を向いている。このような充電端子５は、互いに所定間隔を隔てて複数配置され、ホルダ６に保持されている。
【００１３】
ホルダ６は、互いに所定間隔を隔てて配置された複数の充電端子５の各端子面５１の上下左右の縁部５１１を覆うホルダ本体６１と、ホルダ本体６１の背面から操作部側筐体２の内部に向けて延在し、各充電端子５の弾性部５２間に介在される複数のリブ６２と、を備えている。
ホルダ本体６１は、矩形板状をなし、その表面に複数の端子面５１が露出して配置される複数の窓部６１１が形成されている。各窓部６１１を形成する上下左右の壁部６１２は、各窓部６１１内に嵌め込まれた端子面５１の上下左右の縁部５１１を表面側から覆っている。すなわち、図７に示すように、各壁部６１２は、表面側に向けて幅広に形成されている。また、図６に示すように、各窓部６１１には、インサート成形時に各端子面５１を支持する支持ピン(図示しない)によって形成された三つの矩形状のピン穴６１３がそれぞれ形成されている。さらに、図４及び図５に示すように、ホルダ本体６１の背面には、操作部側筐体２側に突出し、各弾性部５２の基端部を保持する凸部６１４が複数形成されている。
そして、これら各凸部６１４の両脇（弾性部５２の両脇）にリブ６２が設けられている。リブ６２は、ホルダ本体６１の背面に対して略垂直に延在し、弾性部５２と略同じ長さとなっている。
【００１４】
ここで、充電端子部４のインサート成形方法について説明する。
金型内に三つの支持ピンを配置しておき、これら支持ピンで充電端子５の端子面５１を三点で支持させて、複数の充電端子５を所定間隔に配置する。次いで、金型内に樹脂を注入することによって所望形状に成形した後、支持ピンを取り除いて脱型することによって充電端子部４が形成される。
【００１５】
このようにして構成された充電端子部４は、図４に示すように、ホルダ本体６が操作部側筐体２に形成された取付固定部２６の凹部２６１内に嵌め込まれ、凹部２６１に形成された開口部２６２を通ってホルダ６のリブ６２及び弾性部５２が操作部側筐体２内へと延在し、弾性部５２の先端が回路基板２２に形成された基板端子２３に接触している。なお、ホルダ本体６１と取付固定部２６の凹部２６１とは、防水テープ６３によって固定されており、開口部２６２を介して水が侵入できない防水構造とされている。
【００１６】
一方、図１に示すように、充電台２００のポケット２０１内には充電端子部４の端子面５１と当接することによって充電端子部４に電力を供給する給電端子２０２が設けられている。また、ポケット２０１内には、スイッチレバー２０３が設けられており、スイッチレバー２０３が押圧されることによって、給電端子２０２による電力供給が開始されるようになっている。
充電台２００に折り畳み式携帯電話機１００がセットされると、操作部側筐体２の側面によりスイッチレバー２０３が押圧され、給電端子２０２による充電端子部４への電力供給が開始される。
【００１７】
以上、本発明の実施の形態によれば、操作部側筐体２に充電端子部４のホルダ６を防水を図りながら固定し、充電端子部４を回路基板２２の基板端子２３に固定しないで、充電端子部４と基板端子２３とを電気的に接続しているので、落下衝撃等が加わった場合に充電端子部４と基板端子２３との接触面に衝撃が集中して充電端子部４や回路基板２２が破損するといった問題が生じることがない。
充電端子部４は、その端子面５１の各縁部５１１がホルダ６の窓部６１１を形成する上下左右の壁部６１２によって覆われて操作部側筐体２の外部に露出しないように構成されているので、端子面５１の各縁部５１１から水が浸入することを防ぐことができ、防水性能に優れた構造とすることができる。
充電端子部４は、その端子面５１から延在するとともに、基板端子２３に弾性力を付与して接触する弾性部５２を有するので、落下衝撃等で回路基板２２が操作部側筐体２内でずれた場合でも弾性部５２が撓むことによって、充電端子部４と基板端子２３との間に衝撃が集中しない。よって、充電端子部４や回路基板２２の破損等を確実に防止することができる。
弾性部５２の両脇にリブ６１が設けられているので、リブ６２によって弾性部５２がある一定以上に撓まないように防止でき、その結果、弾性部５２のへたりを防止することができる。
【００１８】
なお、本発明は上記実施の形態に限定されるものではなく、その要旨を逸脱しない範囲で適宜変更可能である。
例えば、上記実施の形態では、端子防水構造として充電用として使用される充電端子部４を例に挙げて説明したが、これに限らず、データ通信端子にも適用することができる。
また、上記充電端子５を構成する端子面５１と弾性部５２とは、板金を折り曲げることによって一体形成したものであったが、端子面５１と弾性部５２とを別体に形成しても良い。
上記実施の形態では、防水端子構造を備えた電子機器として折り畳み式携帯電話機１００を例に挙げて説明したが、これに限らず、ノート型パーソナルコンピュータ、デジタルカメラ、腕時計、ＰＤＡ（Personal Digital Assistance）、電子手帳、ウェラブルパソコン、携帯型無線機、その他の電子機器に本発明を適用しても良い。
【図面の簡単な説明】
【００１９】
【図１】折り畳み式携帯電話機１００を充電台２００にセットする前の状態を示した斜視図である。
【図２】折り畳み式携帯電話機１００を左側方から見た際の斜視図である。
【図３】操作部側筐体２において充電端子部４を露出させた状態を示した斜視図である。
【図４】図３の切断線IV−IVに沿って切断した際の斜視図である。
【図５】充電端子部４の斜視図である。
【図６】充電端子部４のホルダ６の斜視図である。
【図７】図４の切断線VII−VIIに沿って切断した際の充電端子部４の斜視図である。
【符号の説明】
【００２０】
２  操作部側筐体（筐体）
４  充電端子部（端子部）
５  充電端子
６  ホルダ
２３  基板端子
５１  端子面
５２  弾性部
６２  リブ
１００  折り畳み式携帯電話機
５１１  縁部
【図１】
2008288151.tif 000003
【図２】
2008288151.tif 000004
【図３】
2008288151.tif 000005
【図４】
2008288151.tif 000006
【図５】
2008288151.tif 000007
【図６】
2008288151.tif 000008
【図７】
2008288151.tif 000009